(57)【要約】      （修正有）【課題】低温から高温にわたる広い温度範囲において動作することが可能な蓄電ユニットを提供する。【解決手段】蓄電ユニットにおいて、回路２５０は、蓄電装置３００と、蓄電装置に隣接して設置され、キュリー温度Ｔｃ以上で電気抵抗が増加するヒータ４００と、トランジスタ２０２と、ダイオード２０３と、抵抗２０１と、温度センサ４１０と、を有する。蓄電装置の正極は、トランジスタのソースＳ及びドレインＤの一方とダイオードのアノードに接続される。蓄電装置の負極は、抵抗の一方と温度センサの一方と端子２１２に接続される。ヒータの一方は、トランジスタのゲートＧと抵抗の他方の端子に接続される。ヒータの他方の端子は、トランジスタのソース及びドレインの他方とダイオードのカソードと端子２１１に接続される。温度センサの他方は、端子ＴＨＭに接続される。充電時には、端子２１２に負電圧が印加され、端子２１１に正電圧が印加される。【選択図】図３
2020198779.tif 000002
【特許請求の範囲】
【請求項１】
蓄電装置と、
ヒータと、
ダイオードと、
ｐチャネル型の第１のトランジスタと、
ｎチャネル型の第２のトランジスタと、を有し、
前記蓄電装置の正極は、前記ダイオードのアノードに電気的に接続され、
前記蓄電装置の正極は、前記第１のトランジスタのソース及びドレインの一方に電気的に接続され、
前記蓄電装置の負極は、前記第２のトランジスタのソース及びドレインの一方に電気的に接続され、
前記ヒータの一方の端子は、前記第２のトランジスタのソース及びドレインの一方に電気的に接続され、
前記ヒータの他方の端子は、前記第１のトランジスタのソース及びドレインの他方に電気的に接続され、
前記第１のトランジスタのゲートは、前記第２のトランジスタのゲートに電気的に接続され、
前記蓄電装置の温度が所定の温度より低い場合は、前記第１のトランジスタはオフ状態、前記第２のトランジスタはオン状態となり、
前記蓄電装置の温度が前記所定の温度以上の場合は、前記第１のトランジスタはオン状態、前記第２のトランジスタはオフ状態となる、蓄電ユニット。
【請求項２】
蓄電装置と、
ヒータと、
ダイオードと、
ｐチャネル型の第１のトランジスタと、
ｎチャネル型の第２のトランジスタと、を有し、
前記蓄電装置の正極は、前記ダイオードのアノードに電気的に接続され、
前記蓄電装置の正極は、前記第１のトランジスタのソース及びドレインの一方に電気的に接続され、
前記蓄電装置の負極は、前記第２のトランジスタのソース及びドレインの一方に電気的に接続され、
前記ヒータの一方の端子は、前記第２のトランジスタのソース及びドレインの一方に電気的に接続され、
前記ヒータの他方の端子は、前記第１のトランジスタのソース及びドレインの他方に電気的に接続され、
前記第１のトランジスタのゲートは、第１の端子に電気的に接続され、
前記第２のトランジスタのゲートは、第２の端子に電気的に接続され、
前記蓄電装置の温度が所定の温度より低い場合は、前記第１のトランジスタはオフ状態、前記第２のトランジスタはオン状態となり、
前記蓄電装置の温度が前記所定の温度以上の場合は、前記第１のトランジスタはオン状態、前記第２のトランジスタはオフ状態となる、蓄電ユニット。
【請求項３】
蓄電装置と、
ヒータと、
ダイオードと、
ｐチャネル型の第１のトランジスタと、
ｎチャネル型の第２のトランジスタと、
制御回路と、を有し、
前記蓄電装置の正極は、前記ダイオードのアノードに電気的に接続され、
前記蓄電装置の正極は、前記第１のトランジスタのソース及びドレインの一方に電気的に接続され、
前記蓄電装置の負極は、前記第２のトランジスタのソース及びドレインの一方に電気的に接続され、
前記ヒータの一方の端子は、前記第２のトランジスタのソース及びドレインの一方に電気的に接続され、
前記ヒータの他方の端子は、前記第１のトランジスタのソース及びドレインの他方に電気的に接続され、
前記第１のトランジスタのゲートは、前記第２のトランジスタのゲートに電気的に接続され
前記第１のトランジスタのゲートは、前記制御回路に電気的に接続され、  前記制御回路は、前記蓄電装置の温度が所定の温度より低い場合は、前記第１のトランジスタはオフ状態、前記第２のトランジスタはオン状態とする機能を有し、
前記蓄電装置の温度が前記所定の温度以上の場合は、前記第１のトランジスタはオン状態、前記第２のトランジスタはオフ状態とする機能を有する、蓄電ユニット。
【請求項４】
蓄電装置と、
ヒータと、
ダイオードと、
ｐチャネル型の第１のトランジスタと、
ｎチャネル型の第２のトランジスタと、
制御回路と、を有し、
前記蓄電装置の正極は、前記ダイオードのアノードに電気的に接続され、
前記蓄電装置の正極は、前記第１のトランジスタのソース及びドレインの一方に電気的に接続され、
前記蓄電装置の負極は、前記第２のトランジスタのソース及びドレインの一方に電気的に接続され、
前記ヒータの一方の端子は、前記第２のトランジスタのソース及びドレインの一方に電気的に接続され、
前記ヒータの他方の端子は、前記第１のトランジスタのソース及びドレインの他方に電気的に接続され、
前記第１のトランジスタのゲートは、前記制御回路の第１の端子に電気的に接続され、
前記第２のトランジスタのゲートは、前記制御回路の第２の端子に電気的に接続され、  前記制御回路は、前記蓄電装置の温度が所定の温度より低い場合は、前記第１のトランジスタはオフ状態、前記第２のトランジスタはオン状態とする機能を有し、
前記蓄電装置の温度が前記所定の温度以上の場合は、前記第１のトランジスタはオン状態、前記第２のトランジスタはオフ状態とする機能を有する、蓄電ユニット。
【発明の詳細な説明】
【技術分野】
【０００１】
本願は蓄電ユニット及び太陽光発電ユニットに関する。
【背景技術】
【０００２】
近年、携帯電話やスマートフォンに代表される携帯端末或いは、電気自動車などのモータ
の電源として、リチウム二次電池のような蓄電装置が広く利用されている（特許文献１参
照）。
【先行技術文献】
【特許文献】
【０００３】
【特許文献１】特開２００６−２６９４２６号公報
【発明の概要】
【発明が解決しようとする課題】
【０００４】
このような携帯端末や電気自動車等は、低温から高温にわたる広い温度範囲で使用される
。このため、これらに搭載される蓄電装置には、広い温度範囲で電池特性が十分に発揮で
きることが要求される。
【０００５】
例えば、現在広く普及しているリチウム二次電池は、コバルト酸リチウム（ＬｉＣｏＯ２
）やリン酸鉄リチウム（ＬｉＦｅＰＯ４）などの活物質を含む正極と、リチウムイオンの
吸蔵・放出が可能な黒鉛等の炭素材料からなる負極と、エチレンカルボナートやジエチル
カルボナートなどの有機溶媒に、ＬｉＢＦ４やＬｉＰＦ６等のリチウム塩からなる溶質を
溶解させた非水電解液などにより構成される。
【０００６】
しかし、このような蓄電装置、特に負極の活物質に黒鉛等の炭素材料を用いた蓄電装置で
は、低温では負極の電気抵抗が増加するため、負極電位が低下する。充電時に電極電位が
負になると炭素材料にデンドライト状リチウム（以下、デンドライトと記す）が形成され
、電極間の短絡や、活物質の剥離による不可逆容量の形成等の問題が生じる。このため、
デンドライトが形成されない電極電位で充電する必要があるが、その場合には、負極の抵
抗増大に応じたより低い電流値による充電が必要となるため、高速に充電することができ
ないという問題点がある。
【０００７】
負極に炭素材料を用い、電解液の溶媒としてエチレンカルボナートを用いたリチウム電池
では、充電及び放電時に溶媒が還元分解され、負極活物質表面に不動態被膜が形成される
。不動態被膜が形成されると、電解液のさらなる還元分解が抑制されるため、リチウムイ
オンの挿入が優先的に生じる。このため、蓄電装置が安定して動作することができる。
【０００８】
しかしながら、負極活物質表面に不動態被膜が形成された蓄電装置を高温で充電すると不
動態被膜が破壊され、蓄電装置の安全性を損なうという問題点がある。
【０００９】
また、非水溶媒を電解液として有する蓄電装置を高温で充電すると、蓄電装置が発火する
恐れがある。
【００１０】
以上に鑑みて、開示される発明の一態様では、低温から高温にわたる広い温度範囲におい
て安全に動作することが可能な蓄電ユニットを得ることを課題の一とする。
【課題を解決するための手段】
【００１１】
開示される発明の一態様は、蓄電装置に隣接してヒータが設置され、当該ヒータで蓄電装
置を加熱する蓄電ユニットである。
【００１２】
蓄電ユニットはさらに、蓄電装置に隣接して配置され、蓄電装置の温度を検知する温度セ
ンサと、温度センサが検知した蓄電装置の温度の情報が入力される制御回路を有し、制御
回路は当該ヒータのオン及びオフを制御する。
【００１３】
蓄電装置を充電する際、蓄電装置の温度が所定の温度（第１の温度Ｔ１とする）よりも低
い場合は、制御回路は蓄電装置の充電を禁止し、ヒータにより蓄電装置を加熱する。
【００１４】
第１の温度より低い温度とは、例えば、上記デンドライトが形成されてしまう温度である
。このような低い温度では充電を禁止することで、電極間の短絡や、活物質の剥離による
不可逆容量の形成等の問題を回避することができる。また、負極の抵抗が増大せず、高速
に充電することが可能となる。
【００１５】
蓄電装置を充電する際、蓄電装置の温度が第１の温度以上である場合は、制御回路はヒー
タによる蓄電装置の加熱を行わず、蓄電装置の充電を許容する。
【００１６】
なお、制御回路は、蓄電装置の温度に関わらず、蓄電装置の放電を許容する構成とする。
【００１７】
ヒータとして、例えばＰＴＣ（Ｐｏｓｉｔｉｖｅ  Ｔｅｍｐｅｒａｔｕｒｅ  Ｃｏｅｆｆ
ｉｃｉｅｎｔ）サーミスタを用いることができる。サーミスタとは温度変化に対して電気
抵抗の変化が大きい抵抗体であり、ＰＴＣサーミスタは所定の温度（キュリー温度（キュ
リー点ともいう）Ｔｃ）以上で電気抵抗が急増する正の温度係数を有するサーミスタであ
る。またＰＴＣサーミスタは、電流を流すと自己発熱により抵抗が増大し、電流が流れに
くくなる。このような正の温度係数を有するＰＴＣサーミスタは、ＢａＴｉＯ３に微量の
希土類を添加する等によって作製することができる。
【００１８】
ヒータとしてＰＴＣサーミスタを用いる場合は、キュリー温度Ｔｃを第１の温度として設
定し、ＰＴＣサーミスタのスイッチング機能を利用してヒータのオン及びオフを切り替え
ることもできる。この場合、温度センサは必ずしも必要ではない。従って、温度センサを
持たない構成も開示される発明の一態様である。
【００１９】
ここで、ＰＴＣサーミスタはキュリー温度Ｔｃが０℃以上１０℃以下のものを用いるとよ
い。具体的には、例えば概略５℃とするとよい。
【００２０】
またヒータとして、温度によらず抵抗がほぼ一定のヒータを用いてもよい。
【００２１】
蓄電装置を充電する際、定電圧充電は行わず、定電流充電のみを行うことが好ましい。定
電圧充電を高温（例えば６０℃以上）で行うと、充電時間が長くなってしまい、電解液が
劣化するからである。
【００２２】
また制御回路は、蓄電装置の温度が第１の温度よりも高い第２の温度Ｔ２となった場合、
電解液の劣化や蓄電装置の破壊等を防ぐために、充電を禁止する構成としてもよい。第２
の温度は使用者が決定すればよい。例えば、充電によって不動態被膜が破壊される温度や
、蓄電装置が発火する温度とすることができる。
【００２３】
以上により、最適な温度範囲で蓄電装置の充電を行うことができ、蓄電装置の破壊、異常
動作、容量の低下を抑制することができる。
【００２４】
開示される発明の一態様において、蓄電装置は負極の活物質に炭素材料が用いられたリチ
ウム二次電池であることを特徴とする。
【００２５】
開示される発明の一態様は、上記蓄電ユニットと太陽電池を有し、当該蓄電装置には、当
該太陽電池により発電された電力が蓄えられることを特徴とする太陽光発電ユニットであ
る。
【発明の効果】
【００２６】
開示される発明の一態様により、低温から高温にわたる広い温度範囲において安全に動作
することが可能な蓄電ユニットを得ることができる。
【図面の簡単な説明】
【００２７】
【図１】蓄電装置を説明する図。
【図２】蓄電ユニットを説明する図。
【図３】蓄電ユニットの回路図、ヒータの電気抵抗の温度依存性、及び、温度とトランジスタのゲート電圧ＶＧＳの関係を示す図。
【図４】キュリー温度Ｔｃより低い場合における蓄電ユニットの動作を示す図。
【図５】キュリー温度Ｔｃ以上の場合における蓄電ユニットの動作を示す図。
【図６】蓄電ユニットを説明する図。
【図７】蓄電ユニットの回路図、及び、温度とトランジスタのゲートに印加される電圧の関係を示す図。
【図８】温度Ｔ１より低い場合の蓄電ユニットの動作を示す図。
【図９】温度Ｔ１以上の場合の蓄電ユニットの動作を示す図。
【図１０】蓄電ユニットを説明する回路図。
【図１１】蓄電ユニットを説明する回路図。
【図１２】温度Ｔ１より低い場合の蓄電ユニットの動作を示す図。
【図１３】温度Ｔ１以上の場合の蓄電ユニットの動作を示す図。
【図１４】蓄電ユニットを説明する回路図。
【図１５】蓄電ユニットを説明する回路図。
【図１６】太陽光発電ユニットの断面図。
【図１７】太陽光発電ユニットを説明する回路図。
【図１８】太陽光発電ユニットを説明する回路図。
【図１９】太陽光発電ユニットを説明する回路図。
【発明を実施するための形態】
【００２８】
以下、本明細書に開示された発明の実施の態様について、図面を参照して説明する。但し
、本明細書に開示された発明は多くの異なる態様で実施することが可能であり、本明細書
に開示された発明の趣旨及びその範囲から逸脱することなくその形態及び詳細を様々に変
更し得ることは当業者であれば容易に理解される。従って、本実施の形態の記載内容に限
定して解釈されるものではない。なお、以下に示す図面において、同一部分又は同様な機
能を有する部分には同一の符号を付し、その繰り返しの説明は省略する。また、同様のも
のを指す際には同じハッチパターンを使用し、特に符号を付さない場合がある。
【００２９】
なお、図面等において示す各構成の位置、大きさ、範囲などは、説明を分かりやすくする
ために実際の位置、大きさ、範囲などを表していない場合がある。このため、開示する発
明は、必ずしも図面等に開示された位置、大きさ、範囲などに限定されない。
【００３０】
なお、本明細書等における「第１」、「第２」、「第３」などの序数は、構成要素の混同
を避けるために付すものであり、数的に限定するものではない。
【００３１】
また、本明細書等において「電極」や「配線」の用語は、これらの構成要素を機能的に限
定するものではない。例えば、「電極」は「配線」の一部として用いられることがあり、
その逆もまた同様である。さらに、「電極」や「配線」の用語は、複数の「電極」や「配
線」が一体となって形成されている場合なども含む。
【００３２】
また、「ソース」や「ドレイン」の機能は、異なる極性のトランジスタを採用する場合や
、回路動作において電流の方向が変化する場合などには入れ替わることがある。このため
、本明細書においては、「ソース」や「ドレイン」の用語は、入れ替えて用いることがで
きるものとする。
【００３３】
なお、本明細書等において、「電気的に接続」には、「何らかの電気的作用を有するもの
」を介して接続されている場合が含まれる。ここで、「何らかの電気的作用を有するもの
」は、接続対象間での電気信号の授受を可能とするものであれば、特に制限を受けない。
例えば、「何らかの電気的作用を有するもの」には、電極や配線をはじめ、トランジスタ
などのスイッチング素子、抵抗素子、インダクタ、キャパシタ、その他の各種機能を有す
る素子などが含まれる。
【００３４】
なお、本明細書等において「上」や「下」の用語は、構成要素の位置関係が「直上」また
は「直下」であることを限定するものではない。例えば、「ゲート絶縁膜上のゲート電極
」の表現であれば、ゲート絶縁膜とゲート電極との間に他の構成要素を含むものを除外し
ない。
【００３５】
［実施の形態１］
本実施の形態を以下に説明する。
【００３６】
＜蓄電装置の構成＞
本実施の形態の蓄電装置について、以下に説明する。
【００３７】
図１（Ａ）は蓄電装置３００の断面図である。図１（Ａ）に示す蓄電装置３００は、正極
集電体３０１及び正極活物質層３０２を有する正極３１１、負極集電体３０５及び負極活
物質層３０４を有する負極３１２、並びに、正極３１１及び負極３１２との間に挟持され
る電解質３０８を有している。
【００３８】
正極３１１は、正極集電体３０１上に、ＣＶＤ法、スパッタリング法、または塗布法によ
り、正極活物質層３０２を形成することで、形成される。
【００３９】
正極集電体３０１は、ステンレス、金、白金、亜鉛、鉄、銅、アルミニウム、チタン等の
金属、及びこれらの合金など、導電性の高く、リチウム等と合金化しない材料を用いるこ
とができる。また、シリコン、チタン、ネオジム、スカンジウム、モリブデンなどの耐熱
性を向上させる元素が添加されたアルミニウム合金を用いることができる。また、シリコ
ンと反応してシリサイドを形成する金属元素、例えばジルコニウム、チタン、ハフニウム
、バナジウム、ニオブ、タンタル、クロム、モリブデン、タングステン、コバルト、ニッ
ケル等で形成しても良い。正極集電体３０１は、箔状、板状（シート状）、網状、パンチ
ングメタル状、エキスパンドメタル状等の形状を有していても良い。
【００４０】
正極活物質層３０２に含まれる正極活物質は、リチウムイオン等のキャリアイオンの挿入
及び脱離が可能な材料であればよく、例えば、ＬｉＦｅＯ２、ＬｉＣｏＯ２、ＬｉＮｉＯ
２、ＬｉＭｎ２Ｏ４、Ｖ２Ｏ５、Ｃｒ２Ｏ５、ＭｎＯ２等の化合物を用いることができる
。塗布法を用いて正極活物質層３０２を形成する場合は、正極活物質に導電助剤や結着剤
を添加して正極ペーストを作製し、正極集電体３０１上に塗布して焼成させればよい。
【００４１】
正極活物質として、オリビン型構造のリチウム含有複合リン酸塩（一般式ＬｉＭＰＯ４（
ＭはＦｅ（ＩＩ）、Ｍｎ（ＩＩ）、Ｃｏ（ＩＩ）、Ｎｉ（ＩＩ）の一以上））を用いるこ
とができる。代表例としては、ＬｉＦｅＰＯ４、ＬｉＮｉＰＯ４、ＬｉＣｏＰＯ４、Ｌｉ
ＭｎＰＯ４、ＬｉＦｅａＮｉｂＰＯ４、ＬｉＦｅａＣｏｂＰＯ４、ＬｉＦｅａＭｎｂＰＯ
４、ＬｉＮｉａＣｏｂＰＯ４、ＬｉＮｉａＭｎｂＰＯ４（ａ＋ｂは１以下、０＜ａ＜１、
０＜ｂ＜１）、ＬｉＦｅｃＮｉｄＣｏｅＰＯ４、ＬｉＦｅｃＮｉｄＭｎｅＰＯ４、ＬｉＮ
ｉｃＣｏｄＭｎｅＰＯ４（ｃ＋ｄ＋ｅは１以下、０＜ｃ＜１、０＜ｄ＜１、０＜ｅ＜１）
、ＬｉＦｅｆＮｉｇＣｏｈＭｎｉＰＯ４（ｆ＋ｇ＋ｈ＋ｉは１以下、０＜ｆ＜１、０＜ｇ
＜１、０＜ｈ＜１、０＜ｉ＜１）等が挙げられる。
【００４２】
正極活物質として、一般式Ｌｉ（２−ｊ）ＭＳｉＯ４（Ｍは、Ｆｅ（ＩＩ）、Ｍｎ（ＩＩ
）、Ｃｏ（ＩＩ）、Ｎｉ（ＩＩ）の一以上、０≦ｊ≦２）等のリチウム含有複合ケイ酸塩
を用いることができる。代表例としては、Ｌｉ（２−ｊ）ＦｅＳｉＯ４、Ｌｉ（２−ｊ）
ＮｉＳｉＯ４、Ｌｉ（２−ｊ）ＣｏＳｉＯ４、Ｌｉ（２−ｊ）ＭｎＳｉＯ４、Ｌｉ（２−
ｊ）ＦｅａＮｉｂＳｉＯ４、Ｌｉ（２−ｊ）ＦｅａＣｏｂＳｉＯ４、Ｌｉ（２−ｊ）Ｆｅ
ｋＭｎｌＳｉＯ４、Ｌｉ（２−ｊ）ＮｉｋＣｏｌＳｉＯ４、Ｌｉ（２−ｊ）ＮｉｋＭｎｌ
ＳｉＯ４（ｋ＋ｌは１以下、０＜ｋ＜１、０＜ｌ＜１）、Ｌｉ（２−ｊ）ＦｅｍＮｉｎＣ
ｏｑＳｉＯ４、Ｌｉ（２−ｊ）ＦｅｍＮｉｎＭｎｑＳｉＯ４、Ｌｉ（２−ｊ）ＮｉｍＣｏ
ｎＭｎｑＳｉＯ４（ｍ＋ｎ＋ｑは１以下、０＜ｍ＜１、０＜ｎ＜１、０＜ｑ＜１）、Ｌｉ
（２−ｊ）ＦｅｒＮｉｓＣｏｔＭｎｕＳｉＯ４（ｒ＋ｓ＋ｔ＋ｕは１以下、０＜ｒ＜１、
０＜ｓ＜１、０＜ｔ＜１、０＜ｕ＜１）等が挙げられる。
【００４３】
なお、キャリアイオンがリチウムイオン以外のアルカリ金属イオン（例えば、ナトリウム
やカリウム等）、アルカリ土類金属イオン（例えば、カルシウム、ストロンチウム、バリ
ウム等）、ベリリウムイオン、またはマグネシウムイオンの場合、正極活物質として、該
金属のリン酸塩やケイ酸塩を用いてもよい。
【００４４】
なお、活物質とは、キャリアであるイオンの挿入及び脱離に関わる物質を指す。電極（を
作製する時には、活物質と共に、導電助剤、結着剤、溶媒等の他の材料を混合したものを
活物質層として集電体上に形成する。よって、活物質と活物質層は区別される。よって正
極活物質及び正極活物質層３０２、並びに、後述する負極活物質及び負極活物質層３０４
は区別される。
【００４５】
正極活物質層３０２に導電助剤としてグラフェンを用いると、電子伝導性の高い電子伝導
のネットワークを構築するため、特に効果的である。
【００４６】
グラフェンは、炭素が形成する六角形の骨格が二次元状に広がった結晶構造をもつ炭素材
料である。グラフェンはグラファイトの一原子面を取り出したものである。
【００４７】
グラフェンは、１〜１００層程度形成すればよい。単層のグラフェンをグラフェンシート
と呼ぶことがある。
【００４８】
正極活物質層３０２では、グラフェンが重なり合い、かつ、複数の正極活物質粒子と接す
るよう分散させてもよい。この場合、正極活物質層３０２中に、グラフェンによる電子伝
導のためのネットワークを形成する。これにより、正極活物質粒子同士がグラフェンによ
ってリンクされ、電子伝導性の高い正極活物質層３０２を形成することができる。
【００４９】
正極活物質層３０２に含まれる結着剤（バインダ）には、代表的なポリフッ化ビニリデン
（ＰＶＤＦ）の他、ポリイミド、ポリテトラフルオロエチレン、ポリビニルクロリド、エ
チレンプロピレンジエンポリマー、スチレン−ブタジエンゴム、アクリロニトリル−ブタ
ジエンゴム、フッ素ゴム、ポリ酢酸ビニル、ポリメチルメタクリラート、ポリエチレン、
ニトロセルロース等を用いることができる。
【００５０】
負極３１２は、負極集電体３０５上に、ＣＶＤ法、スパッタリング法、または塗布法によ
り、負極活物質層３０４を形成することで、形成される。
【００５１】
負極集電体３０５には、アルミニウム、銅、ニッケル、チタン等の金属、及びアルミニウ
ム−ニッケル合金、アルミニウム−銅合金など、導電性の高い材料を用いることができる
。負極集電体３０５は、箔状、板状（シート状）、網状、パンチングメタル状、エキスパ
ンドメタル状等の形状をとることができる。
【００５２】
負極活物質層３０４に含まれる負極活物質として、金属の溶解・析出、または金属イオン
の挿入・脱離が可能な材料であれば、特に限定されない。負極活物質としては、例えば、
リチウム金属、炭素系材料、シリコン、シリコン合金、スズなどを用いることができる。
例えば、炭素系材料としては、粉末状もしくは繊維状の黒鉛を用いることができる。塗布
法を用いて負極活物質層３０４を形成する場合は、負極活物質に導電助剤や結着剤を添加
して負極ペーストを作製し、負極集電体３０５上に塗布して乾燥させればよい。導電助剤
としてグラフェンを用いると、上述のように伝導性の高い電子伝導ネットワークを構築で
きるため、特に効果的である。
【００５３】
負極活物質としてシリコンを用いて負極活物質層３０４を形成する場合においても、負極
活物質層３０４の表面にグラフェンを形成することが好ましい。シリコンは充放電サイク
ルにおけるキャリアイオンの吸蔵・放出に伴う体積の変化が大きいため、負極集電体３０
５と負極活物質層３０４との密着性が低下し、充放電により電池特性が劣化してしまう。
そこで、シリコンを含む負極活物質層３０４の表面にグラフェンを形成すると、充放電サ
イクルにおいてシリコンの体積が変化したとしても、負極活物質層３０４の表面に形成さ
れたグラフェンが、負極集電体３０５と負極活物質層３０４との密着性の低下を抑制する
。これにより、電池特性の劣化が低減されるため好適である。
【００５４】
なお、負極活物質層３０４にリチウムをプレドープしてもよい。リチウムのプレドープ方
法としては、スパッタリング法により負極活物質層３０４表面にリチウム層を形成しても
よい。または、負極活物質層３０４の表面にリチウム箔を設けることで、負極活物質層３
０４にリチウムをプレドープすることもできる。
【００５５】
正極３１１及び負極３１２との間に挟持された電解質３０８は、溶質と溶媒を有している
。溶質として、キャリアイオンを有する材料を用いる。溶質の代表例としては、ＬｉＣｌ
Ｏ４、ＬｉＡｓＦ６、ＬｉＢＦ４、ＬｉＰＦ６、Ｌｉ（Ｃ２Ｆ５ＳＯ２）２Ｎ等のリチウ
ム塩がある。
【００５６】
なお、キャリアイオンがリチウムイオン以外の金属イオンの場合、溶質として、該金属の
塩を用いてもよい。
【００５７】
電解質の溶媒としては、キャリアイオンの移送が可能な非プロトン性有機溶媒が好ましい
。代表例としては、エチレンカルボナート（ＥＣ）、プロピレンカルボナート、ジメチル
カルボナート、ジエチルカルボナート（ＤＥＣ）、γーブチロラクトン、アセトニトリル
、ジメトキシエタン、テトラヒドロフラン等があり、これらの一つまたは複数を用いるこ
とができる。また、電解質の溶媒としてゲル化された高分子材料を用いることで、漏液性
等に対する安全性が高まる。また、二次電池の薄型化及び軽量化が可能である。代表例と
してはシリコーンゲルが挙げられ、その他主鎖骨格としてアクリル系ポリマー、ポリアク
リロニトリル、ポリエチレンオキサイド、ポリプロピレンオキサイド、フッ素系ポリマー
を有するゲル等が挙げられる。また、電解質の溶媒としてイオン液体（常温溶融塩）を一
つまたは複数用いることもできる。
【００５８】
また、電解質３０８として、硫化物や酸化物等の無機物材料を有する固体電解質を用いる
ことができる。固体電解質を用いる場合には電池全体を固体化できるため、漏液のおそれ
がなくなり安全性が飛躍的に向上する。
【００５９】
ラミネート型の蓄電装置の一例について、図１（Ｂ）を参照して説明する。
【００６０】
図１（Ｂ）に示すラミネート型の蓄電装置３１０は、正極集電体３０１および正極活物質
層３０２を有する正極３１１と、負極集電体３０５および負極活物質層３０４を有する負
極３１２と、セパレータ３０７と、電解質３０８と、外装体３０９を有する。外装体３０
９内に設けられた正極３１１と負極３１２との間にセパレータ３０７が設置されている。
また、外装体３０９内は電解質３０８で満たされている。
【００６１】
セパレータ３０７は、セルロース（紙）、または空孔が設けられたポリプロピレン、ポリ
エチレン等の絶縁体を用いることができる。セパレータ３０７の内部にも電解質３０８が
含浸している。
【００６２】
正極集電体３０１および負極集電体３０５は、外部との電気的接触を得る端子の役割も兼
ねている。そのため、正極集電体３０１および負極集電体３０５の一部は、外装体３０９
から外側に露出するように配置される。
【００６３】
外装体３０９には、例えばポリエチレン、ポリプロピレン、ポリカルボナート、アイオノ
マー、ポリアミド等の材料からなる膜上に、アルミニウム、ステンレス、銅、ニッケル等
の可撓性に優れた金属薄膜を設け、さらに該金属薄膜上に外装体の外面としてポリアミド
系樹脂、ポリエステル系樹脂等の絶縁性合成樹脂膜を設けた三層構造のラミネートフィル
ムを用いることができる。このような三層構造とすることで、電解液や気体の透過を遮断
するとともに、絶縁性を確保し、併せて耐電解質性を有する。
【００６４】
なお本実施の形態の蓄電装置の一例として、リチウム二次電池について説明したが、これ
に限定されない。本実施の形態の蓄電装置の別の例として、電気二重層キャパシタを用い
てもよい。電気二重層キャパシタは、低温でもデンドライトが形成されないという利点が
ある。
【００６５】
＜蓄電ユニットの構成＞
図２に本実施の形態の蓄電ユニットの構成を示す。図２（Ａ）は、蓄電ユニットに含まれ
る蓄電装置３１０、ヒータ４００、温度センサ４１０を示している。蓄電装置３１０の詳
細な説明は上述したので、ここでは省略する。なお蓄電装置として、図２ではラミネート
型の蓄電装置３１０を用いるが、別の形状の蓄電装置を用いてもよい。ヒータ４００は端
子４０１ａ及び端子４０１ｂを有しており、温度センサ４１０は端子４１１ａ及び端子４
１１ｂを有している。
【００６６】
図２（Ｂ）に蓄電装置３１０、ヒータ４００、及び温度センサ４１０を外装体５００内部
に設置する蓄電ユニット、図２（Ｃ）に蓄電装置３１０及びヒータ４００を外装体５００
内部に設置する蓄電ユニットを示す。
【００６７】
図２（Ｂ）に示す蓄電ユニットにおいて、温度センサ４１０、ヒータ４００、蓄電装置３
１０は、外装体５００の内部に、それぞれ隣接して設置されている。温度センサ４１０は
、蓄電装置３１０の温度を検出するために設置される。
【００６８】
図２（Ｃ）に示す蓄電ユニットでは温度センサ４１０が設置されておらず、ヒータ４００
及び蓄電装置３１０が外装体５００の内部に設置されている。
【００６９】
ヒータ４００として、例えば、ＰＴＣサーミスタを用いる。これにより、ヒータ４００の
過熱を防止することが可能である。本実施の形態では、ヒータ４００として板状のＰＴＣ
サーミスタを用いて蓄電装置３１０を均一に加熱する。ＰＴＣサーミスタはキュリー温度
Ｔｃが０℃以上１０℃以下のものを用いるとよい。具体的には、例えば概略５℃とすると
よい。
【００７０】
また、ヒータ４００としてＰＴＣサーミスタではなく、温度によらず抵抗がほぼ一定のヒ
ータを用いてもよい。
【００７１】
温度センサ４１０として、例えば、ＮＴＣサーミスタ（ＮＴＣ：Ｎｅｇａｔｉｖｅ  Ｔｅ
ｍｐｅｒａｔｕｒｅ  Ｃｏｅｆｆｉｃｉｅｎｔ）を用いる。ＮＴＣサーミスタは、温度の
上昇に対して抵抗が減少するサーミスタである。ただし、温度センサ４１０としてＮＴＣ
サーミスタに限定されず、他の種類の温度センサを用いてもよい。
【００７２】
温度センサ４１０は、蓄電装置３１０に隣接して設置される。温度センサ４１０は、蓄電
装置３１０の温度Ｔを検知して、当該温度Ｔにより充電の可否を制御する。一方後述のよ
うに、ヒータ４００としてＰＴＣサーミスタを用い、ＰＴＣサーミスタの抵抗の温度依存
性を利用して充電の可否を制御する回路構成を有していても構わない。
【００７３】
外装体５００は、内部に温度センサ４１０、ヒータ４００、蓄電装置３１０を設置可能な
空洞を持つ筐体である。外装体５００の材料としては、例えばポリエチレン、ポリプロピ
レン、ポリカーボネート、アイオノマー、ポリアミド等の樹脂、紙、セラミック等を用い
ればよい。
【００７４】
外装体５００の材料として、断熱効果を有する材料を用いると（例えばセラミック）、低
温においてヒータ４００の熱を外部に発散することなく、効率的に保温できるので好適で
ある。
【００７５】
外装体５００の端子５０１ａ及び端子５０１ｂは、蓄電装置３１０の正極集電体３０１お
よび負極集電体３０５に電気的に接続される端子であってもよいし、正極集電体３０１お
よび負極集電体３０５そのものであってもよい。
【００７６】
外装体５００の端子５０２ａ及び端子５０２ｂは、温度センサ４１０の端子４１１ａ及び
端子４１１ｂに電気的に接続される端子であってもよいし、端子４１１ａ及び端子４１１
ｂそのものであってもよい。
【００７７】
外装体５００の端子５０３ａ及び端子５０３ｂは、ヒータ４００の端子４０１ａ及び端子
４０１ｂに電気的に接続される端子であってもよいし、端子４０１ａ及び端子４０１ｂそ
のものであってもよい。
【００７８】
図２（Ｂ）に示す蓄電ユニットでは、蓄電装置３１０の温度を温度センサ４１０にて検知
し、蓄電装置３１０の充電の可否が温度に応じて制御される。
【００７９】
これにより、蓄電装置３１０が低温、あるいは高温で充電されることを防ぎ、デンドライ
トの形成や不動態被膜の破壊、さらには、蓄電装置３１０の発火を防ぐことができる。
【００８０】
なお、蓄電ユニットを、不動態被膜が破壊される温度に達しない温度、又は、蓄電装置３
１０が発火する温度に達しない温度で使用し、かつ、ヒータ４００としてＰＴＣサーミス
タを用いた場合には、図２（Ｃ）に示す蓄電ユニットのように、温度センサ４１０の設置
を省略することができる。この場合、ＰＴＣサーミスタのスイッチング機能により、ヒー
タ４００が高温になった場合に加熱を自動的に停止することができる。
【００８１】
［実施の形態２］
以下に、ＰＴＣサーミスタの電気抵抗の温度依存性を利用して充電の可否を制御する回路
について説明する。
【００８２】
＜回路構成＞
図３（Ａ）に、ヒータ４００としてＰＴＣサーミスタを用いた場合の蓄電ユニットの回路
の一部を示す。
【００８３】
図３（Ａ）に示す回路２５０は、蓄電装置３００、温度センサ４１０、ＰＴＣサーミスタ
を用いたヒータ４００、抵抗２０１、トランジスタ２０２、ダイオード２０３、端子２１
１、並びに、端子２１２を有している。
【００８４】
蓄電装置３００として、上述の蓄電装置３１０を用いてもよいし、別の形状の蓄電装置を
用いてもよい。蓄電装置３００の正極は、トランジスタ２０２のドレイン（Ｄ）、及び、
ダイオード２０３のアノードに電気的に接続されている。蓄電装置３００の負極は、温度
センサ４１０の一方の端子、抵抗２０１の一方の端子、及び、端子２１２に電気的に接続
されている。蓄電装置３００の正極及び負極間にかかる電圧をＶｂｔとする。なお、トラ
ンジスタのソース、ドレインは、印加されている電圧によって入れ替わる場合があるが、
ここでは、回路構成の理解を容易にするため、ｐチャネル型トランジスタにおいて、充電
時に電位が高い端子をソースと呼び、低い端子をドレインと呼ぶ。また、ｎチャネル型ト
ランジスタでは、電位が高い方の端子をドレインと呼び、低い端子をソースと呼ぶ。
【００８５】
温度センサ４１０として、図３（Ａ）に示す回路２５０では、ＮＴＣサーミスタを用いる
。温度センサ４１０は、蓄電装置３００及びヒータ４００に電気的に接続されており、か
つ、蓄電装置３００に隣接して設置される。
【００８６】
温度センサ４１０の他方の端子は、端子ＴＨＭに電気的に接続されている。
【００８７】
ヒータ４００は、上述のようにＰＴＣサーミスタであり、一方の端子は、トランジスタ２
０２のゲート（Ｇ）、及び、抵抗２０１の他方の端子に電気的に接続されている。ヒータ
４００の他方の端子は、トランジスタ２０２のソース（Ｓ）、ダイオード２０３のカソー
ド、及び、端子２１１に電気的に接続されている。
【００８８】
トランジスタ２０２は、ｐチャネル型トランジスタである。なおトランジスタ２０２のゲ
ートとソース間に印加される電圧を、ゲート電圧ＶＧＳとする。
【００８９】
抵抗２０１は、抵抗値Ｒｓを有する抵抗である。
【００９０】
ヒータ４００及び抵抗２０１それぞれにおいて、温度と抵抗の関係を図３（Ｂ）に示す。
図３（Ｂ）に示されるように、ヒータ４００はキュリー温度Ｔｃで急激に抵抗が増大する
。一方、抵抗２０１は、温度が変化しても抵抗値Ｒｓはほぼ一定である。
【００９１】
図３（Ｃ）に、充電時（端子２１１に正電圧を、端子２１２に負電圧を印加した状態）の
温度とトランジスタ２０２のゲート電圧ＶＧＳとの関係を示す。キュリー温度Ｔｃより低
い温度では、ゲート電圧ＶＧＳは、トランジスタ２０２のしきい値電圧Ｖｔｈよりも高い
一定の負電圧を維持しており、トランジスタ２０２はオフ状態である。キュリー温度Ｔｃ
でゲート電圧ＶＧＳは急激に減少し、キュリー温度Ｔｃ以上の温度では、ゲート電圧ＶＧ
Ｓは、しきい値電圧Ｖｔｈよりも十分に低い一定の負電圧となり、トランジスタ２０２は
オン状態となる。回路２５０では、トランジスタ２０２のソース（端子２１１）よりもド
レイン（蓄電装置３００の正極）の電圧を低くすると、ダイオード２０３には順バイアス
電圧が印加されるため、蓄電装置３００が放電状態となる。他方、トランジスタ２０２の
ソースよりもドレインの電圧を高くすることで、蓄電装置３００は充電可能な状態となり
、ダイオード２０３には逆バイアスの電圧が印加されているため、トランジスタ２０２の
オン、オフにより、充電の許容、禁止を制御することができる。以下にその詳細について
説明する。
【００９２】
＜＜キュリー温度Ｔｃより低い温度での動作＞＞
図３（Ａ）に示す回路において、温度Ｔがキュリー温度Ｔｃより低い温度での動作を、図
４に示す。本実施の形態において、キュリー温度Ｔｃは０℃以上１０℃以下とし、具体的
には、例えば概略５℃とする。
【００９３】
図４では、充電時（端子２１１に正電圧、端子２１２に負電圧を印加したとき）の電流を
二点鎖線、放電時の電流を一点鎖線で示している。なお、キュリー温度Ｔｃより低い温度
では、蓄電装置３００は充電されないが、放電は行うことができる。
【００９４】
ヒータ４００がキュリー温度Ｔｃより低い温度に置かれると、ヒータ４００の抵抗が減少
する（図３（Ｂ）参照）。よって、ヒータ４００及び抵抗２０１に電流が流れるため、ゲ
ート電圧ＶＧＳは、ヒータ４００及び抵抗２０１の合成抵抗に応じた電圧となり、しきい
値電圧Ｖｔｈを越えると（図３（Ｃ）参照）、ｐチャネル型トランジスタであるトランジ
スタ２０２はオフ状態となる。
【００９５】
この状態では、電流の流れる方向はダイオード２０３の逆方向となるので、端子２１１か
ら蓄電装置３００への電流の経路はカットされ、蓄電装置３００は充電されない。すなわ
ち、蓄電装置３００の充電が禁止された状態である。
【００９６】
図４に示すように電流は、端子２１１、ヒータ４００、抵抗２０１、及び端子２１２に流
れ、ヒータ４００が発熱し、蓄電装置３００を加熱することができる。
【００９７】
ヒータ４００により蓄電装置３００が加熱されて温度がキュリー温度Ｔｃ以上になると、
ヒータ４００の抵抗が増加し、ヒータ４００に電流が流れなくなり、かつトランジスタ２
０２がオン状態となる。これにより、ヒータ４００による加熱が停止されると共に、蓄電
装置３００への充電が許容される。この動作の詳細については後述する。
【００９８】
一方、放電時では、トランジスタ２０２はオフ状態であるが、ダイオード２０３に順方向
のバイアス電圧が印加されている。よって、蓄電装置３００からの放電電流は、端子２１
２、蓄電装置３００、ダイオード２０３、及び、端子２１１に流れる。
【００９９】
＜＜キュリー温度Ｔｃ以上の温度での動作＞＞
図３（Ａ）に示す回路２５０において、温度Ｔがキュリー温度Ｔｃ以上の温度での動作を
、図５に示す。
【０１００】
図５では、充電時（端子２１１に正電圧、端子２１２に負電圧を印加したとき）の電流を
二点鎖線、放電時の電流を一点鎖線で示している。ヒータ４００がキュリー温度Ｔｃ以上
の温度に置かれると、ヒータ４００の抵抗が増加する（図３（Ｂ）参照）。よって、ヒー
タ４００及び抵抗２０１には電流が流れず、トランジスタ２０２のゲート電圧ＶＧＳはし
きい値Ｖｔｈよりも低くなる（図３（Ｃ）参照）。
【０１０１】
トランジスタ２０２は、ｐチャネル型トランジスタであるので、オン状態となる。
【０１０２】
上記の状態では、充電電流はダイオード２０３の逆方向であるが、トランジスタ２０２は
オン状態であるので、充電電流は端子２１１、トランジスタ２０２、蓄電装置３００、及
び端子２１２に流れ、蓄電装置３００に電力が蓄電される。すなわち、充電が許容される
。
【０１０３】
また放電時には、トランジスタ２０２がオン状態であることに加えて、放電電流の流れる
方向はダイオード２０３の順方向となる。蓄電装置３００からの放電電流は、トランジス
タ２０２及びダイオード２０３の両方を通る。つまり、蓄電装置３００からの放電電流は
、端子２１２、蓄電装置３００、トランジスタ２０２、ダイオード２０３、及び、端子２
１１に流れる。以上により、蓄電装置３００に蓄えられた電力を放電することができる。
【０１０４】
＜＜第２の温度以上での動作＞＞
図３（Ａ）に示す回路２５０では、温度Ｔがキュリー温度Ｔｃ以上の温度で充電が許容さ
れる。従って、蓄電装置３００の温度Ｔが、不動態被膜が破壊される程度の高温、又は、
蓄電装置３００が発火する恐れがある高温となっても、充電が許容される。
【０１０５】
そこで、蓄電装置３００の温度Ｔの上限値として第２の温度Ｔ２を使用者が設定し、温度
センサ４１０によって検知される蓄電装置３００の温度ＴがＴ２に達した場合、蓄電装置
３００への充電を禁止する構成とする。これにより、不動態被膜が破壊されることや、蓄
電装置３００が発火することを防ぐことができる。
【０１０６】
以上により、低温でも高温でも安全に動作可能な蓄電ユニットを得ることができる。
【０１０７】
図６に、前記回路２５０を含む蓄電ユニットを示す。蓄電ユニットはさらに電流制御回路
５５０、及び制御回路５７０を有しており、電源５６１及び負荷５６２と接続することが
可能である。
【０１０８】
電流制御回路５５０は、コンデンサ５５１、抵抗５５２、コイル５５３、ダイオード５５
４、トランジスタ５５５を有しており、降圧型ＤＣ−ＤＣコンバータを利用した電流制御
回路である。
【０１０９】
コンデンサ５５１の一方の端子は、抵抗５５２の一方の端子、コイル５５３の一方の端子
、制御回路５７０の端子ＳＥＮＳＥ＋に電気的に接続されている。また、蓄電装置３００
を放電する際、負荷５６２がコンデンサ５５１の一方の端子に接続される。コンデンサ５
５１の他方の端子は接地されている。
【０１１０】
抵抗５５２の他方の端子は、制御回路５７０の端子ＳＥＮＳＥ−、回路２５０の端子２１
１に電気的に接続されている。抵抗５５２の両方の端子にかかる電圧は、制御回路５７０
の端子ＳＥＮＳＥ＋及び端子ＳＥＮＳＥ−にかかる電圧と同じである。これにより、抵抗
５５２を流れる電流の電流値を測定することができる。
【０１１１】
コイル５５３の他方の端子は、ダイオード５５４のカソード、トランジスタ５５５のドレ
インに電気的に接続されている。
【０１１２】
ダイオード５５４のアノードは接地されている。
【０１１３】
トランジスタ５５５はｎチャネル型トランジスタであり、ゲートは制御回路５７０の端子
ＧＳに電気的に接続されている。
【０１１４】
トランジスタ５５５のソースは、蓄電装置３００の充電時、電源５６１に電気的に接続さ
れる。
【０１１５】
電源５６１は、蓄電装置３００を充電するための電力を供給する。電源５６１は直流電源
でも良く、交流電源（例えば、商用電源）でも良い。交流電源の場合、交流−直流変換器
（ＡＣ−ＤＣコンバータ、又は、ＡＣ−ＤＣインバータともいう）を用いれば良い。
【０１１６】
制御回路５７０は、端子ＳＥＮＳＥ＋及び端子ＳＥＮＳＥ−の電圧を検知することで、端
子ＳＥＮＳＥ＋及び端子ＳＥＮＳＥ−間を流れる電流、すなわち、抵抗５５２に流れる電
流の電流値を測定する。制御回路５７０は、端子ＴＨＭに入力された温度センサ４１０か
らの情報（信号）に基づいてパルス幅変調（Ｐｕｌｓｅ  Ｗｉｄｔｈ  Ｍｏｄｕｌａｔｉ
ｏｎ：ＰＷＭ）信号を生成し、端子ＧＳからトランジスタ５５５のゲートへ入力すること
により、抵抗５５２に流れる電流の電流値を制御する。抵抗５５２に流れる電流の電流値
を制御するということは、回路２５０の端子２１１及び端子２１２間の電流、さらに具体
的には、蓄電装置３００への充電電流又は蓄電装置３００からの放電電流を制御するとい
うことを意味する。
【０１１７】
温度Ｔ２以上の温度では、制御回路５７０は、端子ＴＨＭに入力される、温度センサ４１
０によって検知された蓄電装置３００の温度Ｔの情報に基づいて、トランジスタ５５５を
オフにし、蓄電装置３００への充電を禁止する。
【０１１８】
以上本実施の形態により、低温でも高温でも安全に動作可能な蓄電ユニットを得ることが
できる。
【０１１９】
また、温度センサ４１０を省略した構成（図２（Ｃ）参照）の蓄電ユニットを図１４に示
す。
【０１２０】
蓄電装置３００の負極の不動態被膜が破壊される温度、又は、蓄電装置３００が発火する
温度より低い温度で使用するのであれば、図１４に示す回路を用いることにより、最適な
温度範囲で充電可能な蓄電ユニットを得ることができる。
【０１２１】
以上本実施の形態により、低温及び高温で安全に動作可能な蓄電ユニットを得ることがで
きる。
【０１２２】
本実施の形態に示す構成、方法などは、他の実施の形態に示す構成、方法などと適宜組み
合わせて用いることができる。
【０１２３】
［実施の形態３］
本実施の形態では、ヒータ４００としてＰＴＣサーミスタではなく、温度によらず抵抗が
ほぼ一定のヒータを用い、かつ、温度センサを用いた蓄電ユニットについて説明する。
【０１２４】
＜回路構成１＞
図７（Ａ）に、本実施の形態の蓄電ユニットの回路の一部を示す。
【０１２５】
図７（Ａ）に示す回路２６０は、蓄電装置３００、温度センサ４１０、ヒータ４００、ト
ランジスタ２６１、ダイオード２６２、トランジスタ２６３、ダイオード２６４、端子２
２１、端子２２２、端子ＴＨＭ、並びに、端子ＨＣＯＮを有している。
【０１２６】
蓄電装置３００の正極は、トランジスタ２６１のドレイン、及び、ダイオード２６２のア
ノードに電気的に接続されている。蓄電装置３００の負極は、温度センサ４１０の一方の
端子、トランジスタ２６３のソース、ダイオード２６４のアノード、及び、端子２２２に
電気的に接続されている。蓄電装置３００の正極及び負極間にかかる電圧をＶｂｔとする
。
【０１２７】
ヒータ４００の一方の端子は、トランジスタ２６１のソース、ダイオード２６２のカソー
ド、及び、端子２２１に電気的に接続されている。ヒータ４００の他方の端子は、トラン
ジスタ２６３のドレイン、ダイオード２６４のカソードに電気的に接続されている。
【０１２８】
温度センサ４１０として、本実施の形態ではＮＴＣサーミスタを用いる。温度センサ４１
０は、蓄電装置３００に隣接して設置する。ただし、後述のように、ヒータ４００の温度
で動作を切り替えるため、蓄電装置３００、ヒータ４００、及び、温度センサ４１０は、
可能な限り近づけて設置することが望ましい。温度センサ４１０の他方の端子は、端子Ｔ
ＨＭに電気的に接続されている。
【０１２９】
トランジスタ２６１はｐチャネル型トランジスタであり、ゲートはトランジスタ２６３の
ゲート、及び、端子ＨＣＯＮに電気的に接続されている。トランジスタ２６３はｎチャネ
ル型トランジスタである。
【０１３０】
図７（Ｂ）に、トランジスタ２６１のゲート及びトランジスタ２６３のゲートに印加され
る電圧ＶＨＣＯＮ（すなわち、端子ＨＣＯＮに印加される電圧）と温度との関係を示す。
なお図７（Ｂ）における温度は、温度センサ４１０によって検知された温度Ｔである。
【０１３１】
温度Ｔが温度Ｔ１より低い場合、電圧ＶＨＣＯＮを高レベル電圧（「Ｈ」と表記）とする
。ここで、高レベル電圧（Ｈ）とは、ｐチャネル型トランジスタであるトランジスタ２６
１のしきい値電圧、及び、ｎチャネル型トランジスタであるトランジスタ２６３のしきい
値電圧よりも高い電圧とする。
【０１３２】
温度Ｔが、所定の温度Ｔ１以上の場合、電圧ＶＨＣＯＮを低レベル電圧（「Ｌ」と表記）
とする。ここで、低レベル電圧（Ｌ）とは、ｐチャネル型トランジスタであるトランジス
タ２６１のしきい値電圧、及び、ｎチャネル型トランジスタであるトランジスタ２６３の
しきい値電圧よりも低い電圧とする。なお、温度Ｔ１とは、使用者によって決定された任
意の温度である。以下に回路の動作の詳細について説明する。
【０１３３】
＜＜Ｔ１より低い温度での動作＞＞
図７（Ａ）に示す回路２６０において、温度Ｔが温度Ｔ１より低い温度での動作を、図８
に示す。
【０１３４】
図８では、端子２２１に正電圧、端子２２２に負電圧を印加したときの電流を二点鎖線、
放電時の電流を一点鎖線で示している。
【０１３５】
温度がＴ１より低い温度の時、電圧ＶＨＣＯＮを高レベル電圧（Ｈ）とする（図７（Ｂ）
参照）。高レベル電圧（Ｈ）がゲートに印加されると、ｐチャネル型トランジスタである
トランジスタ２６１はオフ状態、ｎチャネル型トランジスタであるトランジスタ２６３は
オン状態となる。
【０１３６】
この場合、端子２２１、ヒータ４００、トランジスタ２６３、及び端子２２２に電流が流
れる。なお、電流の流れる方向は、ダイオード２６４の逆方向であるので、ダイオード２
６４には電流は流れない。よって、ヒータ４００が発熱し、蓄電装置３００を加熱するこ
とができる。
【０１３７】
また、トランジスタ２６１がオフ状態であり、電流の流れる方向がダイオード２６２の逆
方向であるので、蓄電装置３００への電流の経路がカットされ、蓄電装置３００は充電さ
れない。
【０１３８】
ヒータ４００により蓄電装置３００が加熱され、蓄電装置３００が温度Ｔ１以上になると
、ヒータ４００の加熱を終了し、蓄電装置３００への充電が許容される。この動作の詳細
については後述する。
【０１３９】
一方、放電時では、トランジスタ２６１の状態に係わらず、放電電流の流れる方向はダイ
オード２６２の順方向となる。つまり、蓄電装置３００からの放電電流は、端子２２２、
蓄電装置３００、ダイオード２６２、及び、端子２２１に流れる。以上により、蓄電装置
３００から放電することができる。
【０１４０】
＜＜Ｔ１以上の温度での動作＞＞
図７（Ａ）に示す回路２６０において、温度ＴがＴ１以上での動作を、図９に示す。
【０１４１】
図９では、充電時（端子２２１に正電圧、端子２２２に負電圧を印加したとき）の電流を
二点鎖線、放電時の電流を一点鎖線で示している。
【０１４２】
温度がＴ１以上の温度の時、電圧ＶＨＣＯＮを低レベル電圧（Ｌ）とする（図７（Ｂ）参
照）。低レベル電圧（Ｌ）がゲートに印加されると、ｐチャネル型トランジスタであるト
ランジスタ２６１はオン状態、ｎチャネル型トランジスタであるトランジスタ２６３はオ
フ状態となる。トランジスタ２６３がオフ状態であり、電流の流れる方向がダイオード２
６４の逆方向であるので、ヒータ４００には電流が流れない。
【０１４３】
上記の状態で充電を行うと、トランジスタ２６１はオン状態であるが、充電電流の流れる
方向はダイオード２６２の逆方向となるので、端子２２１から蓄電装置３００への充電電
流の経路は、トランジスタ２６１のみを通る。充電電流が端子２２１、トランジスタ２６
１のソース及びドレイン、蓄電装置３００、及び端子２２２に流れることにより、蓄電装
置３００が充電される。
【０１４４】
また放電時には、トランジスタ２６１がオン状態であることに加えて、放電電流の流れる
方向はダイオード２６２の順方向となる。蓄電装置３００からの放電電流は、トランジス
タ２６１及びダイオード２６２の両方を通る。つまり、蓄電装置３００からの放電電流は
、端子２２２、蓄電装置３００、トランジスタ２６１のソース及びドレイン、ダイオード
２６２、及び、端子２２１に流れる。以上により、蓄電装置３００から放電することがで
きる。
【０１４５】
＜＜Ｔ２以上の温度での動作＞＞
図７（Ａ）に示す回路２６０では、Ｔ１以上の温度で、上述のように、充電が許容される
。従って、蓄電装置３００の温度Ｔが、不動態被膜が破壊される程度の高温、又は、蓄電
装置３００が発火する恐れがある高温となっても、充電が許容される。
【０１４６】
そこで、蓄電装置３００の温度Ｔの上限値（上限温度Ｔ２）を使用者が設定し、温度セン
サ４１０によって検知される蓄電装置３００の温度がＴ２に達した場合、蓄電装置３００
への充電を禁止する。これにより、不動態被膜が破壊されることや、蓄電装置３００が発
火することを防ぐことができる。
【０１４７】
以上により、低温でも高温でも安全に動作可能な蓄電ユニットを得ることができる。
【０１４８】
図１０に、回路２６０を含む蓄電ユニットの回路を示す。蓄電ユニットは、回路２６０、
電流制御回路５５０、及び制御回路５８０を有している。
【０１４９】
制御回路５８０は、温度センサ４１０の情報を端子ＴＨＭで受け取り、当該情報を基に、
端子ＨＣＯＮの電圧ＶＨＣＯＮを高レベル電圧（Ｈ）又は低レベル電圧（Ｌ）に切り替え
る。また、端子ＳＥＮＳＥ＋及び端子ＳＥＮＳＥ−の電圧を検知することで、端子ＳＥＮ
ＳＥ＋及び端子ＳＥＮＳＥ−間を流れる電流、すなわち、抵抗５５２に流れる電流の電流
値を測定する。また、制御回路５８０の端子ＧＳからトランジスタ５５５のゲートへ、パ
ルス幅変調信号を入力することにより、抵抗５５２に流れる電流の電流値を制御する。
【０１５０】
温度Ｔ１より低い温度、及び、温度Ｔ２以上の温度では、制御回路５８０は、蓄電装置３
００の温度Ｔの情報に基づいて電圧ＶＨＣＯＮとして高レベル電圧をトランジスタ２６１
と２６３のゲートに出力し、蓄電装置３００の充電を禁止する。また、パルス幅変調信号
を制御することにより、トランジスタ５５５をオフ状態とし、電源５６１から蓄電装置３
００への充電を禁止することができる。
【０１５１】
上限温度Ｔ２以上の温度では、制御回路５８０は蓄電装置３００の温度Ｔの情報に基づい
てパルス幅変調信号を制御してトランジスタ５５５をオフ状態とし、電源５６１から蓄電
装置３００への充電を禁止することができる。
【０１５２】
＜回路構成２＞
以下に、図７（Ａ）及び図１０とは異なる回路構成を有する蓄電ユニットについて説明す
る。
【０１５３】
図１１に示す回路２７０は、図７（Ａ）に示す回路２６０と、トランジスタ２６１のゲー
トが、端子ＨＣＯＮではなく、端子ＣＣＯＮと電気的に接続されている点で異なる。すな
わち、図７（Ａ）の回路２６０ではトランジスタ２６１のゲート及びトランジスタ２６３
のゲートへの電圧の印加を同一の端子ＨＣＯＮで行うが、図１１の回路２７０では別々の
端子ＣＣＯＮ及び端子ＨＣＯＮで行う。
【０１５４】
＜＜Ｔ１より低い温度での動作＞＞
図１１に示す回路２７０において、温度ＴがＴ１より低い場合の動作を、図１２（Ａ）及
び図１２（Ｂ）に示す。
【０１５５】
図１２（Ａ）では、端子２２１に正電圧、端子２２２に負電圧を印加したときの電流を二
点鎖線、図１２（Ｂ）では、放電時の電流を一点鎖線で示している。
【０１５６】
図１２（Ａ）に示すように、端子２２１に正電圧、端子２２２に負電圧を印加し、電圧Ｖ
ＨＣＯＮを高レベル電圧（Ｈ）、電圧ＶＣＣＯＮを高レベル電圧（Ｈ）とする。
【０１５７】
高レベル電圧（Ｈ）がゲートに印加されると、ｐチャネル型トランジスタであるトランジ
スタ２６１はオフ状態、ｎチャネル型トランジスタであるトランジスタ２６３はオン状態
となる。
【０１５８】
この場合、端子２２１、ヒータ４００、トランジスタ２６３、及び端子２２２に電流が流
れる。なお電流の流れる方向はダイオード２６４の逆方向であるので、ダイオード２６４
には電流は流れない。よって、ヒータ４００が発熱し、蓄電装置３００を加熱することが
できる。また、トランジスタ２６１がオフ状態であるので、蓄電装置３００への電流の経
路がカットされ、蓄電装置３００は充電されない。
【０１５９】
一方図１２（Ｂ）に示すように、放電時には、電圧ＶＨＣＯＮを高レベル電圧（Ｈ）、電
圧ＶＣＣＯＮを低レベル電圧（Ｌ）とする。
【０１６０】
低レベル電圧（Ｌ）がゲートに印加されると、ｐチャネル型トランジスタであるトランジ
スタ２６１はオン状態となる。高レベル電圧（Ｈ）がゲートに印加されると、ｎチャネル
型トランジスタであるトランジスタ２６３はオン状態となる。
【０１６１】
放電時では、トランジスタ２６１がオン状態であり、放電電流の流れる方向はダイオード
２６２の順方向となる。つまり、蓄電装置３００からの放電電流は、端子２２２、蓄電装
置３００、ダイオード２６２、及び、端子２２１に流れる。以上により、蓄電装置３００
から放電することができる。
【０１６２】
ここで、図７（Ａ）に示す回路２６０に対する、図１１に示す回路２７０の有利点につい
て述べる。
【０１６３】
図７（Ａ）に示す回路２６０では、Ｔ１より低い温度での放電時にトランジスタ２６１を
オフ状態とするため、放電電流はダイオード２６２のみに流れる。ダイオード２６２の順
方向電圧降下により、蓄電装置３００に蓄えられた電力の一部が、放電時に失われる恐れ
が生じる。
【０１６４】
一方、図１１に示す回路２７０では、温度Ｔ１より低い温度での放電時にトランジスタ２
６１をオン状態とする。そのため、放電電流はダイオード２６２及びトランジスタ２６１
の両方を流れる。これにより、ダイオード２６２の順方向電圧降下が起こらず、蓄電装置
３００に蓄えられた電力の損失を抑制することができる。
【０１６５】
＜＜Ｔ１以上の温度での動作＞＞
図１１に示す回路２７０において、温度ＴがＴ１以上の温度での動作を、図１３に示す。
【０１６６】
図１３では、充電時（端子２２１に正電圧、端子２２２に負電圧を印加したとき）の電流
を二点鎖線、放電時の電流を一点鎖線で示している。温度ＴがＴ１以上の時、電圧ＶＨＣ
ＯＮを低レベル電圧（Ｌ）とする。低レベル電圧（Ｌ）がゲートに印加されると、ｎチャ
ネル型トランジスタであるトランジスタ２６３はオフ状態となる。また、端子ＣＣＯＮの
電圧ＶＣＣＯＮも低レベル電圧（Ｌ）とする。低レベル電圧（Ｌ）がゲートに印加される
と、ｐチャネル型トランジスタであるトランジスタ２６１はオン状態となる。このため、
充電電流の流れる方向はダイオード２６２の順方向である。トランジスタ２６３がオフ状
態であり、充電電流の流れる方向がダイオード２６４の逆方向であるので、ヒータ４００
には電流が流れない。
【０１６７】
上記の状態で充電を行うと、トランジスタ２６１はオン状態であるが、充電電流の流れる
方向はダイオード２６２の逆方向となるので、充電電流は、端子２２１、トランジスタ２
６１、蓄電装置３００、及び端子２２２に流れることにより、蓄電装置３００が充電され
る。
【０１６８】
また放電時には、トランジスタ２６１がオン状態であることに加えて、放電電流の流れる
方向はダイオード２６２の順方向となる。蓄電装置３００からの放電電流の経路は、端子
２２２、蓄電装置３００、トランジスタ２６１、ダイオード２６２、及び、端子２２１に
流れる。以上により、蓄電装置３００から放電することができる。
【０１６９】
＜＜Ｔ２以上の温度での動作＞＞
図１１に示す回路２７０では、温度Ｔ１以上の温度で、上述のように、充電が許容される
。この場合、蓄電装置３００の温度Ｔが、不動態被膜が破壊される程度の高温、又は、蓄
電装置３００が発火する恐れがある高温となっても、充電が許容される。
【０１７０】
そこで、蓄電装置３００の温度Ｔの上限値（上限温度Ｔ２）を使用者が設定し、温度セン
サ４１０によって検知される蓄電装置３００の温度がＴ２に達した場合、蓄電装置３００
への充電を禁止する。これにより、不動態被膜が破壊されることや、蓄電装置３００が発
火することを防ぐことができる。
【０１７１】
以上により、低温でも高温でも安全に動作可能な蓄電ユニットを得ることができる。
【０１７２】
図１５に、回路２７０を含む蓄電ユニットの回路を示す。図１５に示す蓄電ユニットは、
回路２７０、電流制御回路５５０、及び制御回路５９０を有している。
【０１７３】
制御回路５９０は、温度センサ４１０の情報を端子ＴＨＭで受け取り、当該情報を基に、
端子ＨＣＯＮの電圧ＶＨＣＯＮを高レベル電圧（Ｈ）又は低レベル電圧（Ｌ）に切り替え
る。また制御回路５９０は、温度センサ４１０からの情報を基に、端子ＣＣＯＮの電圧（
電圧ＶＣＣＯＮとする）を高レベル電圧（Ｈ）又は低レベル電圧（Ｌ）に切り替える。
【０１７４】
制御回路５９０は、端子ＳＥＮＳＥ＋及び端子ＳＥＮＳＥ−の電圧を検知することで、端
子ＳＥＮＳＥ＋及び端子ＳＥＮＳＥ−間を流れる電流、すなわち、抵抗５５２に流れる電
流の電流値を測定する。また、制御回路５９０の端子ＧＳからトランジスタ５５５のゲー
トへ、パルス幅変調信号を入力することにより、抵抗５５２に流れる電流の電流値を制御
する。
【０１７５】
上限温度Ｔ２以上の温度では、制御回路５９０は、蓄電装置３００の温度Ｔの情報に基づ
いてパルス幅変調信号を制御してトランジスタ５５５をオフ状態にし、電源５６１から蓄
電装置３００への充電を禁止する。
【０１７６】
以上本実施の形態により、低温及び高温で安全に動作可能な蓄電ユニットを得ることがで
きる。
【０１７７】
本実施の形態に示す構成、方法などは、他の実施の形態に示す構成、方法などと適宜組み
合わせて用いることができる。
【０１７８】
［実施の形態４］
本実施の形態では、蓄電装置に蓄えられる電力の電源として、太陽電池を用いた例につい
て説明する。
【０１７９】
本実施の形態の蓄電ユニットを太陽電池と組み合わせた太陽光発電ユニット１００の一例
を図１６に示す。
【０１８０】
図１６に示す太陽光発電ユニット１００は、蓄電装置３００、ヒータ４００、及び、温度
センサ４１０を有する蓄電ユニット、太陽電池２００、並びに、制御装置６００を有して
いる。蓄電ユニットは、太陽電池２００の受光面と反対側の面に設けられている。また、
蓄電ユニット、並びに、制御装置６００は、配線４０３によって電気的に接続されている
。
【０１８１】
太陽光発電ユニット１００の回路構成を図１７に示す。太陽光発電ユニット１００は、ヒ
ータ４００としてＰＴＣサーミスタを用いる回路２５０（図３（Ａ）参照）を有するもの
とする。
【０１８２】
太陽光発電ユニット１００は、太陽電池２００、抵抗６１１、抵抗６１２、ＭＰＰＴ回路
６５０（ＭＰＰＴ：Ｍａｘｉｍｕｍ  Ｐｏｗｅｒ  Ｐｏｉｎｔ  Ｔｒａｃｋｉｎｇ（最大
電力点追従））、電流制御回路５５０、回路２５０、制御回路６７０を有している。なお
、電流制御回路５５０及び回路２５０は、図６に示す構成と同じである。
【０１８３】
抵抗６１１の一方の端子は太陽電池２００の一方の端子に電気的に接続されている。抵抗
６１１の他方の端子は、抵抗６１２の一方の端子、及び、制御回路６７０の端子ＶＩＮ＿
ＳＮＳに電気的に接続されている。抵抗６１２の他方の端子は接地されている。
【０１８４】
太陽電池２００が発電した直流電力の電圧をＶＳＢとし、抵抗６１１及び抵抗６１２それ
ぞれの抵抗値をＲ１及びＲ２とすると、端子ＶＩＮ＿ＳＮＳに印加される電圧は、Ｒ２／
（Ｒ１＋Ｒ２）×ＶＳＢとなる。そのため、端子ＶＩＮ＿ＳＮＳに印加される電圧を検知
することにより、太陽電池２００が発電した直流電力の電圧ＶＳＢを検知することができ
る。
【０１８５】
ＭＰＰＴ回路６５０は、コンデンサ６５１、抵抗６５２、コイル６５３、ダイオード６５
４、トランジスタ６５５を有しており、降圧型ＤＣ−ＤＣコンバータを利用した電流制御
回路である。
【０１８６】
コンデンサ６５１の一方の端子は、電流制御回路５５０、抵抗６５２の一方の端子、制御
回路６７０の端子ＳＥＮＳＥ１−に電気的に接続されている。コンデンサ６５１の他方の
端子は接地されている。
【０１８７】
抵抗６５２の他方の端子は、コイル６５３の一方の端子、制御回路６７０の端子ＳＥＮＳ
Ｅ１＋に電気的に接続されている。抵抗６５２の両方の端子にかかる電圧は、制御回路６
７０の端子ＳＥＮＳＥ１＋及び端子ＳＥＮＳＥ１−にかかる電圧と同じである。これによ
り、抵抗６５２を流れる電流の電流値を測定することができる。
【０１８８】
コイル６５３の一方の端子は、抵抗６５２の他方の端子に電気的に接続されている。コイ
ル６５３の他方の端子は、ダイオード６５４のカソード、トランジスタ６５５のソース又
はドレインの一方に電気的に接続されている。ダイオード６５４のアノードは接地されて
いる。
【０１８９】
トランジスタ６５５はｎチャネル型トランジスタであり、ゲートは制御回路６７０の端子
ＧＳ１に電気的に接続されている。制御回路６７０からトランジスタ６５５のゲートへ、
パルス幅変調信号が入力されることにより、抵抗６５２に流れる電流の電流値を制御する
ことができる。
【０１９０】
トランジスタ６５５のソース又はドレインの他方は、抵抗６１１の一方の端子に電気的に
接続されている。
【０１９１】
太陽電池２００が発電した直流電力の電圧ＶＳＢは、太陽電池２００の状態によって変化
する。そこで、ＭＰＰＴ回路６５０が、電圧ＶＳＢに応じて電流値を変化させることで、
太陽電池２００から取り出せる電力の電力を最大化することができる。
【０１９２】
なお、電流制御回路５５０及び回路２５０の詳細な説明については、図６に示す電流制御
回路５５０及び回路２５０の説明を援用すればよい。ただし、図１７においては、図６の
制御回路５７０の端子ＧＳ、端子ＳＥＮＳＥ＋、端子ＳＥＮＳＥ−を、図１７の制御回路
６７０の端子ＧＳ２、端子ＳＥＮＳＥ２＋、端子ＳＥＮＳＥ２−に読み替える。
【０１９３】
また、図１４と同様に、不動態被膜が破壊される温度、又は、蓄電装置３００が発火する
温度より低い場合で使用するのであれば、図１７の回路２５０において、温度センサ４１
０を省略した構成にしてもよい。
【０１９４】
図１８に、図１７とは異なる構成を有する太陽光発電ユニットの回路構成を示す。太陽光
発電ユニット１００は、温度によらず抵抗がほぼ一定のヒータ４００を用いる回路２６０
（図７（Ａ）参照）を有するものとする。
【０１９５】
太陽光発電ユニット１００は、太陽電池２００、抵抗６１１、抵抗６１２、ＭＰＰＴ回路
６５０、電流制御回路５５０、回路２６０、制御回路６８０を有している。なお、太陽電
池２００、抵抗６１１、抵抗６１２、ＭＰＰＴ回路６５０は、図１７に示す構成と同じで
ある。ただし、図１７に示す制御回路６７０は、図１８では制御回路６８０に読み替える
。
【０１９６】
また電流制御回路５５０及び回路２６０は、図１０に示す構成と同じである。ただし、図
１０の制御回路５８０の端子ＧＳ、端子ＳＥＮＳＥ＋、端子ＳＥＮＳＥ−を、図１８では
制御回路６８０の端子ＧＳ２、端子ＳＥＮＳＥ２＋、端子ＳＥＮＳＥ２−に読み替える。
【０１９７】
図１９に、図１７及び図１８とは異なる構成を有する太陽光発電ユニットの回路構成を示
す。太陽光発電ユニット１００では、温度によらず抵抗がほぼ一定のヒータ４００を用い
る回路２７０（図１１参照）を有するものとする。
【０１９８】
太陽光発電ユニット１００は、太陽電池２００、抵抗６１１、抵抗６１２、ＭＰＰＴ回路
６５０、電流制御回路５５０、回路２７０、制御回路６９０を有している。なお、太陽電
池２００、抵抗６１１、抵抗６１２、ＭＰＰＴ回路６５０は、図１７に示す構成と同じで
ある。ただし、図１７に示す制御回路６７０は、図１９では制御回路６９０に読み替える
。
【０１９９】
また電流制御回路５５０及び回路２７０は、図１５に示す構成と同じである。ただし、図
１５の制御回路５９０の端子ＧＳ、端子ＳＥＮＳＥ＋、端子ＳＥＮＳＥ−を、図１９の制
御回路６９０の端子ＧＳ２、端子ＳＥＮＳＥ２＋、端子ＳＥＮＳＥ２−に読み替える。
【０２００】
本実施の形態に示す構成、方法などは、他の実施の形態に示す構成、方法などと適宜組み
合わせて用いることができる。
【符号の説明】
【０２０１】
１００    太陽光発電ユニット
２００    太陽電池
２０１    抵抗
２０２    トランジスタ
２０３    ダイオード
２１１    端子
２１２    端子
２２１    端子
２２２    端子
２５０    回路
２５５    回路
２６０    回路
２６１    トランジスタ
２６２    ダイオード
２６３    トランジスタ
２６４    ダイオード
２７０    回路
３００    蓄電装置
３０１    正極集電体
３０２    正極活物質層
３０４    負極活物質層
３０５    負極集電体
３０７    セパレータ
３０８    電解質
３０９    外装体
３１０    蓄電装置
３１１    正極
３１２    負極
４００    ヒータ
４０３    配線
４０１ａ    端子
４０１ｂ    端子
４１０    温度センサ
４１１ａ    端子
４１１ｂ    端子
５００    外装体
５０１ａ    端子
５０１ｂ    端子
５０２ａ    端子
５０２ｂ    端子
５０３ａ    端子
５０３ｂ    端子
５５０    電流制御回路
５５１    コンデンサ
５５２    抵抗
５５３    コイル
５５４    ダイオード
５５５    トランジスタ
５６１    電源
５６２    負荷
５７０    制御回路
５８０    制御回路
５９０    制御回路
６１１    抵抗
６１２    抵抗
６５０    ＭＰＰＴ回路
６５１    コンデンサ
６５２    抵抗
６５３    コイル
６５４    ダイオード
６５５    トランジスタ
６７０    制御回路
６８０    制御回路
６９０    制御回路
【図１】
2020198779.tif 000003
【図２】
2020198779.tif 000004
【図３】
2020198779.tif 000005
【図４】
2020198779.tif 000006
【図５】
2020198779.tif 000007
【図６】
2020198779.tif 000008
【図７】
2020198779.tif 000009
【図８】
2020198779.tif 000010
【図９】
2020198779.tif 000011
【図１０】
2020198779.tif 000012
【図１１】
2020198779.tif 000013
【図１２】
2020198779.tif 000014
【図１３】
2020198779.tif 000015
【図１４】
2020198779.tif 000016
【図１５】
2020198779.tif 000017
【図１６】
2020198779.tif 000018
【図１７】
2020198779.tif 000019
【図１８】
2020198779.tif 000020
【図１９】
2020198779.tif 000021
【手続補正書】
【提出日】令和2年9月4日(2020.9.4)
【手続補正１】
【補正対象書類名】特許請求の範囲
【補正対象項目名】全文
【補正方法】変更
【補正の内容】
【特許請求の範囲】
【請求項１】
蓄電装置と、
ヒータと、
ダイオードと、
ｐチャネル型の第１のトランジスタと、
ｎチャネル型の第２のトランジスタと、を有し、
前記蓄電装置の正極は、前記ダイオードのアノードに電気的に接続され、
前記蓄電装置の正極は、前記第１のトランジスタのソース及びドレインの一方に電気的に接続され、
前記蓄電装置の負極は、前記第２のトランジスタのソース及びドレインの一方に電気的に接続され、
前記ヒータの一方の端子は、前記第２のトランジスタのソース及びドレインの他方に電気的に接続され、
前記ヒータの他方の端子は、前記第１のトランジスタのソース及びドレインの他方に電気的に接続され、
前記第１のトランジスタのゲートは、前記第２のトランジスタのゲートに電気的に接続され、
前記蓄電装置の温度が所定の温度より低い場合は、前記第１のトランジスタはオフ状態、前記第２のトランジスタはオン状態となり、
前記蓄電装置の温度が前記所定の温度以上の場合は、前記第１のトランジスタはオン状態、前記第２のトランジスタはオフ状態となる、蓄電ユニット。
【請求項２】
蓄電装置と、
ヒータと、
ダイオードと、
ｐチャネル型の第１のトランジスタと、
ｎチャネル型の第２のトランジスタと、を有し、
前記蓄電装置の正極は、前記ダイオードのアノードに電気的に接続され、
前記蓄電装置の正極は、前記第１のトランジスタのソース及びドレインの一方に電気的に接続され、
前記蓄電装置の負極は、前記第２のトランジスタのソース及びドレインの一方に電気的に接続され、
前記ヒータの一方の端子は、前記第２のトランジスタのソース及びドレインの他方に電気的に接続され、
前記ヒータの他方の端子は、前記第１のトランジスタのソース及びドレインの他方に電気的に接続され、
前記第１のトランジスタのゲートは、第１の端子に電気的に接続され、
前記第２のトランジスタのゲートは、第２の端子に電気的に接続され、
前記蓄電装置の温度が所定の温度より低い場合は、前記第１のトランジスタはオフ状態、前記第２のトランジスタはオン状態となり、
前記蓄電装置の温度が前記所定の温度以上の場合は、前記第１のトランジスタはオン状態、前記第２のトランジスタはオフ状態となる、蓄電ユニット。
【請求項３】
蓄電装置と、
ヒータと、
ダイオードと、
ｐチャネル型の第１のトランジスタと、
ｎチャネル型の第２のトランジスタと、
制御回路と、を有し、
前記蓄電装置の正極は、前記ダイオードのアノードに電気的に接続され、
前記蓄電装置の正極は、前記第１のトランジスタのソース及びドレインの一方に電気的に接続され、
前記蓄電装置の負極は、前記第２のトランジスタのソース及びドレインの一方に電気的に接続され、
前記ヒータの一方の端子は、前記第２のトランジスタのソース及びドレインの他方に電気的に接続され、
前記ヒータの他方の端子は、前記第１のトランジスタのソース及びドレインの他方に電気的に接続され、
前記第１のトランジスタのゲートは、前記第２のトランジスタのゲートに電気的に接続され
前記第１のトランジスタのゲートは、前記制御回路に電気的に接続され、  前記制御回路は、前記蓄電装置の温度が所定の温度より低い場合は、前記第１のトランジスタはオフ状態、前記第２のトランジスタはオン状態とする機能を有し、
前記蓄電装置の温度が前記所定の温度以上の場合は、前記第１のトランジスタはオン状態、前記第２のトランジスタはオフ状態とする機能を有する、蓄電ユニット。
【請求項４】
蓄電装置と、
ヒータと、
ダイオードと、
ｐチャネル型の第１のトランジスタと、
ｎチャネル型の第２のトランジスタと、
制御回路と、を有し、
前記蓄電装置の正極は、前記ダイオードのアノードに電気的に接続され、
前記蓄電装置の正極は、前記第１のトランジスタのソース及びドレインの一方に電気的に接続され、
前記蓄電装置の負極は、前記第２のトランジスタのソース及びドレインの一方に電気的に接続され、
前記ヒータの一方の端子は、前記第２のトランジスタのソース及びドレインの他方に電気的に接続され、
前記ヒータの他方の端子は、前記第１のトランジスタのソース及びドレインの他方に電気的に接続され、
前記第１のトランジスタのゲートは、前記制御回路の第１の端子に電気的に接続され、
前記第２のトランジスタのゲートは、前記制御回路の第２の端子に電気的に接続され、
前記制御回路は、前記蓄電装置の温度が所定の温度より低い場合は、前記第１のトランジスタはオフ状態、前記第２のトランジスタはオン状態とする機能を有し、
前記蓄電装置の温度が前記所定の温度以上の場合は、前記第１のトランジスタはオン状態、前記第２のトランジスタはオフ状態とする機能を有する、蓄電ユニット。